(57)【特許請求の範囲】
【請求項１】
光学系の対物側に配置され、前記光学系の有効光路内に進入して前記有効光路の一部を遮光するバリア部材と、
一つの端部が前記バリア部材に結合され、弾性および遮光性を有するシート状部材と、
を備え、
前記バリア部材が前記有効光路内に進入したときに前記シート状部材が張設され、
前記バリア部材および前記シート状部材が前記有効光路内から退避可能に設けられ、
前記バリア部材が前記有効光路内から退避した時に前記シート状部材が収納されるバリア部材室の内面を形成する部材に、前記シート状部材の前記端部とは異なる端部が結合されることを特徴とする光学系バリア装置。
【請求項２】
前記シート状部材が可撓性を有する材料からなる
ことを特徴とする請求項１に記載の光学系バリア装置。
【請求項３】
前記バリア部材および前記シート状部材が前記有効光路内から退避した時に、前記シート状部材が前記バリア部材室内に屈曲収納される
ことを特徴とする請求項１または２に記載の光学系バリア装置。
【請求項４】
前記バリア部材および前記シート状部材が前記有効光路内から退避した時に、前記バリア部材が前記バリア部材室内に収納される
ことを特徴とする請求項１〜３のいずれか１項に記載の光学系バリア装置。
【請求項５】
前記シート状部材の弾性復元力により、前記シート状部材が前記バリア部材室内に屈曲収納される
ことを特徴とする請求項１〜４のいずれか１項に記載の光学系バリア装置。
【請求項６】
前記シート状部材は、弾性伸縮性を有し、
前記バリア部材および前記シート状部材が前記有効光路内から退避した時に、前記弾性伸縮性によって前記バリア部材室内に収縮収納される伸縮変形部材を含むことを特徴とする請求項１〜５のいずれか１項に記載の光学系バリア装置。
【請求項７】
請求項１〜６のいずれか１項に記載の光学系バリア装置を備えた光学機器。
【請求項８】
前記光学機器が、カメラである
ことを特徴とする請求項７に記載の光学機器。
【発明の詳細な説明】
【０００１】
【発明の属する技術分野】
本発明は、カメラ等の光学機器における光学系の対物面を開閉保護し、該光学系を塵埃または手指による汚損から保護する光学系バリア機構に係り、特に、例えばモータ駆動による移動鏡胴を備えたカメラ等に好適な光学系バリア装置および光学機器に関するものである。
【０００２】
【従来の技術】
モータ駆動による移動鏡胴を備えたカメラ等のような光学機器における光学系の対物面を開閉保護し、該光学系を塵埃または手指による汚損から保護する光学系バリア装置として、従来より様々なタイプの装置が提案されている。
従来のこの種の光学系バリア装置においては、バリアの開閉動作を可能とするために、光学系の有効光路範囲と鏡胴の径によってバリア羽根の枚数がほぼ決定されていた。すなわち、光学系有効径に対応する有効光路範囲が広くなると、それに対応して開閉すべき開口面積が広くなるため、バリア羽根の枚数が同一であれば広い面積のバリア羽根が必要となり、バリア開状態で前記バリア羽根を退避するために、鏡胴の径をわざわざ広げる必要があった。現実には、鏡胴の径には、限界があるため、個々のバリア羽根を大きくする代りに、バリア羽根の枚数を増加させて対処するのが一般的であった。但し、この場合はバリア羽根の枚数の増加に伴い、バリア機構の光軸に沿う方向の厚みが増大することになる。
しかも最近は、ユーザーのニーズに応えるために、光学系の有効光路範囲が広い広角系の撮影光学系が必要となり、上述したバリア羽根の増加に伴う光軸方向の厚みが増大する傾向にある。
【０００３】
そこで、さらに、カメラの小型化のために開閉動作するバリアを無くして、別体のレンズキャップにて保護するようにしたり、光学系の対物面を硬質ガラスにより保護するようにしたりといった方法による対処もなされている。
また、他の技術としては、特開平７−２２５４０９号公報および特開２０００−０９８４５１号公報に開示される技術が提案されている。
上記特開平７−２２５４０９号公報には、最も物体側のレンズ面位置、例えば対物レンズの光軸に直交し且つ凸面に接する平面位置を基準として、バリア羽根を開閉動作に連動して光軸方向に沿って移動させて、閉状態では前記バリア羽根等を前記平面位置よりも前方に位置させ、開状態では前記バリア羽根等を前記平面位置よりも後方に位置させることによって、バリア開状態での光学系の有効光路範囲を広く確保するようにしたバリア機構が開示されている。また、上記特開２０００−０９８４５１号公報には、バリア羽根を鏡胴の前面の面積よりも小さくして光学系部分のみを覆うようにしてコンパクト化を図るようにしたレンズバリア機構が開示されている。
【０００４】
【発明が解決しようとする課題】
しかしながら、上記特開平７−２２５４０９号公報に開示された技術では、バリア装置の機構が複雑化して、動作上の不具合が発生し易いという問題があり、特開２０００−０９８４５１号公報に開示された技術は、光学系自体はバリアにより保護されるが、バリア装置の機構部分自体の収納または保護等に対する充分な記載がなされておらず、バリア装置の機構部分自体の収納または保護等のためにさらに構成が複雑化あるいは大型化するおそれがあった。バリア装置の機構部分自体が露出されていた場合には、動作上の問題が生じ易い。
上述したように、例えば広角の光学系鏡胴のように大きな有効光路径を有する光学系の鏡胴に用いる光学系バリア装置を、従来の羽根の枚数を増加させる技術を用いて構成すると、光学系バリア装置の光軸方向の厚さ寸法が増大し、最も対物側のレンズ前面からバリアカバー前面までの距離が伸びてしまう。そのため、有効光路径に基づく有効光路範囲が更に広がってしまい、羽根の退避空間を確保するのが益々困難になる。また、バリア羽根の枚数を増加させることなく鏡胴径を大きくすることによって、バリア羽根の退避空間を確保する技術もあるが、小型化のニーズには適合しない。
【０００５】
本発明は、上述した事情に鑑みてなされたもので、バリア部材の枚数の増加による光軸方向寸法の増大および構成の複雑化を招くことなく、光学系および鏡胴を適切に且つ確実に保護し、構成も簡単で動作上の問題が生じ難く、鏡胴の小型化をも可能とする光学系バリア装置および光学機器を提供することを目的としている。
すなわち、本発明の請求項１の目的は、特に、上記目的に加え、バリア部材の枚数が少なくて済み、製造コストをも低減し得る光学系バリア装置を提供することにある。
また、本発明の請求項２の目的は、特に、構成が簡単な光学系バリア装置を提供することにある。
本発明の請求項３の目的は、特に、簡単な構成でしかも動作が確実な光学系バリア装置を提供することにある。
本発明の請求項４の目的は、特に、構成が一層簡単な光学系バリア装置を提供することにある。
【０００６】
本発明の請求項５の目的は、特に、構成が一層簡単で動作が確実な光学系バリア装置を提供することにある。
本発明の請求項６の目的は、特に、構成が一層簡単で動作が確実な光学系バリア装置を提供することにある。
本発明の請求項７の目的は、バリア部材の枚数の増加による光軸方向寸法の増大および構成の複雑化を招くことなく、光学系および鏡胴を適切に且つ確実に保護し、特に、光学系バリア装置におけるバリア部材の枚数が少なくて済み、構成が簡単で製造コストをも低減し得る光学機器を提供することにある。
本発明の請求項８の目的は、バリア部材の枚数の増加による光軸方向寸法の増大および構成の複雑化を招くことなく、光学系および鏡胴を適切に且つ確実に保護し、特に、光学系バリア装置におけるバリア部材の枚数が少なくて済み、構成が簡単で製造コストをも低減し得るカメラを提供することにある。
【０００７】
【課題を解決するための手段】
請求項１に記載した本発明に係る光学系バリア装置は、上述した目的を達成するために、
光学系の対物側に配置され、前記光学系の有効光路内に進入して前記有効光路の一部を遮光するバリア部材と、
一つの端部が前記バリア部材に結合され、弾性および遮光性を有するシート状部材と、
を備え、
前記バリア部材が前記有効光路内に進入したときに前記シート状部材が張設され、
前記バリア部材および前記シート状部材が前記有効光路内から退避可能に設けられ、
前記バリア部材が前記有効光路内から退避した時に前記シート状部材が収納されるバリア部材室の内面を形成する部材に、前記シート状部材の前記端部とは異なる端部が結合される
ことを特徴としている。
【０００８】
また、請求項２に記載した本発明に係る光学系バリア装置は、前記シート状部材が可撓性を有する材料からなる
ことを特徴としている。
また、請求項３に記載した本発明に係る光学系バリア装置は、前記バリア部材および前記シート状部材が前記有効光路内から退避した時に、前記シート状部材が前記バリア部材室内に屈曲収納される
ことを特徴としている。
また、請求項４に記載した本発明に係る光学系バリア装置は、前記バリア部材および前記シート状部材が前記有効光路内から退避した時に、前記バリア部材が前記バリア部材室内に収納される
ことを特徴としている。
【０００９】
請求項５に記載した本発明に係る光学系バリア装置は、
前記シート状部材の弾性復元力により、前記シート状部材が前記バリア部材室内に屈曲収納されることを特徴としている。
請求項６に記載した本発明に係る光学系バリア装置は、
前記シート状部材は、弾性伸縮性を有し、
前記バリア部材および前記シート状部材が前記有効光路内から退避した時に、前記弾性伸縮性によって前記バリア部材室内に収縮収納される伸縮変形部材を含むことを特徴としている。
請求項７に記載した本発明に係る光学機器は、請求項１〜６のいずれか１項に記載の光学系バリア装置を備えたことを特徴としている。
請求項８に記載した光学機器は、カメラであることを特徴としている。
【００１０】
【作用】
すなわち、本発明に係る光学系バリア装置は、光学系の対物側に配置され、前記光学系の有効光路内に進入して前記有効光路の一部を遮光するバリア部材と、
一つの端部が前記バリア部材に結合され、弾性および遮光性を有するシート状部材と、
を備え、
前記バリア部材が前記有効光路内に進入したときに前記シート状部材が張設され、
前記バリア部材および前記シート状部材が前記有効光路内から退避可能に設けられ、
前記バリア部材が前記有効光路内から退避した時に前記シート状部材が収納されるバリア部材室の内面を形成する部材に、前記シート状部材の前記端部とは異なる端部が結合されるように構成する。
このような構成により、バリア部材の枚数の増加による光軸方向寸法の増大および構成の複雑化を招くことなく、光学系および鏡胴を適切に且つ確実に保護し、構成も簡単で動作上の問題が生じ難く、鏡胴の小型化をも可能とするが、特に、バリア部材の枚数が少なくて済み、製造コストをも低減することができる。
【００１１】
また、本発明に係る光学系バリア装置は、前記シート状部材が可撓性を有する材料からなる。
このような構成により、特に、構成が一層簡単な光学バリア装置を提供することができる。
また、本発明に係る光学系バリア装置は、前記バリア部材および前記シート状部材が前記有効光路内から退避した時に、前記シート状部材が前記バリア部材室内に屈曲収納される。
このような構成により、簡単な構成でしかも動作が確実な光学系バリア装置を提供することができる。
また、本発明に係る光学系バリア装置は、前記バリア部材および前記シート状部材が前記有効光路内から退避した時に、前記バリア部材が前記バリア部材室内に収納される。
このような構成により、特に構成が簡単となる。
【００１２】
また、本発明に係る光学系バリア装置は、前記シート状部材の弾性復元力により、前記シート状部材が前記バリア部材室内に屈曲収納される。
このような構成により、特に、構成を一層簡単化することができる。
また、本発明に係る光学系バリア装置は、前記シート状部材が、弾性伸縮性を有し、
前記バリア部材および前記シート状部材が前記有効光路内から退避した時に、前記弾性伸縮性によって前記バリア部材室内に収縮収納される伸縮変形部材を含む。
このような構成により、特に、構成が一層簡単な光学系バリア装置を提供することができる。
【００１３】
また、本発明に係る光学機器は、請求項１〜６のいずれか１項に記載の光学系バリア装置を備える。
このような構成により、特に、バリア部材の枚数の増加による光軸方向寸法の増大および構成の複雑化を招くことなく、光学系および鏡胴を適切に且つ確実に保護し、特に、光学系機器におけるバリア部材の枚数が少なくて済み、構成が簡単で製造コストをも低減することができる。
また、本発明に係る光学機器は、カメラである。
このような構成により、バリア部材の枚数の増加による光軸方向寸法の増大および構成の複雑化を招くことなく、光学系および鏡胴を適切に且つ確実に保護し、特に、カメラにおけるバリア部材の枚数が少なくて済み、構成が簡単で製造コストをも低減することができる。
【００１４】
【発明の実施の形態】
以下、本発明の実施の形態に基づき、図面を参照して本発明の光学系バリア装置およびカメラを詳細に説明する。
図１〜図３は、本発明の一つの実施の形態に係る光学系バリア装置の要部の構成を示している。図１は、光学系バリア装置を物体側、すなわち被写体側から見た構成を模式的に示す正面図、図２は、図１の光学系バリア装置の構成を模式的に示す正面斜め上方向から見た分解斜視図、そして図３は、図１の光学系バリア装置の構成を模式的に示す背面斜め上方向から見た分解斜視図である。また、図４〜図７は、その光学系バリア装置の部分詳細図であり、図４は、バリア閉状態における図１のＡ−Ａ線に沿う断面図、図５は、バリア閉状態におけるバリア羽根部分を背面側から見た図、図６は、図１のＡ−Ａ線に沿う断面のバリア開状態における断面図、そして図７は、図１の光学系バリア装置のレバー部分の構成を詳細に示す模式図である。
【００１５】
なお、図１〜図７に示す構成は、この場合ディジタルカメラに使用される光学系バリア装置を例にとって説明しているが、一眼レフカメラ、レンズシャッタカメラおよびビデオカメラ等の光学機器にも適応させることができ、ほぼ同様にして適用実施することが可能である。
図１〜図４に示す光学系バリア装置は、光学系１、第１のバリア羽根２ａ、第２のバリア羽根２ｂ、リングレバー３、小レバー４、復帰スプリング５、第１の移行スプリング６ａ、第２の移行スプリング６ｂ、第１のシート状部材７ａ、第２のシート状部材７ｂ、バリアカバー８、鏡胴ＹおよびバリアベースＺを具備している。
この実施の形態による光学系バリア装置は、撮影光学系等の光学系１に対し、光学系１の有効光路領域内にバリア羽根２ａおよび２ｂを進入させ、該光学系１の有効光路をバリア羽根２ａおよび２ｂにより遮蔽することによって、図１、図２、図４および図５に示すようなバリア閉状態とする。また、図６に示すように、光学系１の有効光路領域から第１、第２のバリア羽根２ａ、２ｂを退避させることによって、バリア開状態とする。
【００１６】
すなわち、この光学系バリア装置において、第１のバリア羽根２ａおよび第２のバリア羽根２ｂは、対をなし、バリア閉状態時に光学系１の有効光路領域Ｂ内に進入し、バリア開状態時に有効光路領域Ｂから退避する。リングレバー３は、バリア羽根２ａおよび２ｂを開状態へ移行させるために用いられる。小レバー４は、鏡胴Ｙ（その一部が図４および図６に図示されている）が収納状態へ移行するときの動作力を用いてリングレバー３を作動させる。復帰スプリング５は、前記鏡胴Ｙが収納状態から撮影状態へ移行する際に、小レバー４から前記動作力が開放されたときにリングレバー３を開状態へ復帰させる。第１および第２の移行スプリング６ａおよび６ｂは、リングレバー３が開状態へ復帰したときに、バリア羽根２ａおよび２ｂを付勢して開状態へ移行させる。第１および第２のシート状部材７ａおよび７ｂは、柔軟性を有する材質からなり、前記第１および第２のバリア羽根２ａおよび２ｂが閉状態にあるときに、バリアカバー８の開口部とこれらバリア羽根２ａおよび２ｂとの隙間を遮蔽する。
【００１７】
上述した光学系バリア装置の構成および動作について図２および図３に示す分解斜視図、並びに図５および図７に示す部分詳細図を参照してさらに詳細に説明する。
まず、リングレバー３と小レバー４の関係について説明する。収納時には、この光学系バリア装置ごと鏡胴Ｙが後方に後退するため、静止系の鏡胴基板に設けられた凸部（明確には図示していない）によって、小レバー４の図３に矢印Ｄで示す部分に矢印Ｄ方向への力が作用する。小レバー４に矢印Ｄで示すような力が加えられると、図示回転中心４ｃを中心とする回動によって図３の矢印Ｅで示される力が発生する。小レバー４の矢印Ｅの力が作用する部位は、リングレバー３の図３に示す矢印Ｆに対応する部位に対応する位置に存在するので、リングレバー３には、図３の矢印Ｆ方向への力が加えられる。リングレバー３の回転中心３ｃはバリアベースＺのＣ部に回動可能に係合されているため、Ｆ方向の力によってリングレバー３が若干回転すると、リングレバー３のカム部ＨおよびＧによって規制されていたバリア羽根２ａおよび２ｂの係合ボスＢｂおよびＢａが自由可動状態となり、第１および第２の移行スプリング６ａおよび６ｂによりバリア羽根２ａおよび２ｂが閉じる。
【００１８】
収納時以外の、すなわち小レバー４の矢印Ｄ部への力がかからなくなったときには、リングレバー３は、復帰スプリング５によって矢印Ｆとは反対側に付勢され、カム部ＨおよびＧによる規制によって、バリア羽根２ａおよび２ｂは開度が制御され、開方向に駆動される。なお復帰スプリング５は、図３に破線で示す位置においてバリアベースＺに係合している。
次に、第１および第２の移行スプリング６ａおよび６ｂの係合状態を図５に示している。図５においては、バリアベースＺに形成されている係合部ＺａおよびＺｂが示されている。当該係合部ＺａおよびＺｂとバリア羽根２ａおよび２ｂとに、第１および第２の移行スプリング６ａおよび６ｂがそれぞれ係合されている。上述した復帰スプリング５については、図７に詳細を示している。復帰スプリング５は、図７に示すように、リングレバー３とバリアベースＺ上に形成されている係合部Ｚｃとに係合している。
【００１９】
上述したような構成によって、バリア閉状態では、図１に示されるように、柔軟性に富む材質からなるシート状部材７ａおよび７ｂは、前記バリア羽根２ａおよび２ｂと共に、バリアカバー８の開口部を完全に遮蔽している。シート状部材７ａおよび７ｂは、それぞれ、一端縁部がバリア羽根２ａおよび２ｂの外側縁部に漏光しないように光密的に結合され、他端縁部がバリアカバー８、鏡胴ＹまたはバリアベースＺ等に固着されている。これらシート状部材７ａおよび７ｂは、バリア閉状態では、ある程度の張力をもって張設されている。また、バリア開状態では、シート状部材７ａおよび７ｂは、バリア羽根２ａおよび２ｂと共にバリアカバー８の開口部外に退避され、図６に示すように、バリアカバー８の開口部の外側に形成される空間、つまりバリア羽根室、の内部に折り畳むように屈曲されて収納される。
シート状部材７ａおよび７ｂが、バリア開状態でバリア羽根室内に屈曲収納されるのは、バリア羽根２ａおよび２ｂの開閉動作時にシート状部材７ａおよび７ｂが有効光路および各作動部品と干渉するのを防止するためである。
【００２０】
したがって、バリア開閉時に、シート状部材７ａおよび７ｂが適切な個所で適切に屈曲するようにするために、適宜なる弾性復元力を持たせるようにしてシート状部材７ａおよび７ｂを形成しても良く、シート状部材７ａおよび７ｂに弾性伸縮力を持たせて形成し、バリア閉状態では遮光性を阻害しない限り、シート状部材７ａおよび７ｂを伸長させ、バリア開状態では、シート状部材７ａおよび７ｂが弾性収縮してバリア羽根室に収まるような構成としても良い。
また、上述した光学系バリア装置を、例えば、ディジタルカメラに組み込んで、光学系バリア装置付きのディジタルカメラとしても良く、同様の構成を適用して、光学系バリア装置付きの一眼レフカメラ、光学系バリア装置付きのレンズシャッタカメラおよびビデオカメラ等の光学機器にも適応させることができ、ほぼ同様にして適用実施することが可能である。
また、本発明は、将来の超広角光学系のバリア装置にも応用することができる。
【００２１】
【発明の効果】
以上述べたように、本発明によれば、バリア部材の枚数の増加による光軸方向寸法の増大および構成の複雑化を招くことなく、光学系および鏡胴を適切に且つ確実に保護し、構成も簡単で動作上の問題が生じ難く、鏡胴の小型化をも可能とする光学系バリア装置および光学機器を提供することができる。
すなわち、本発明の請求項１の光学系バリア装置によれば、光学系の対物側に配置され、前記光学系の有効光路内に進入して前記有効光路の一部を遮光するバリア部材と、
一つの端部が前記バリア部材に結合され、弾性および遮光性を有するシート状部材と、
を備え、
前記バリア部材が前記有効光路内に進入したときに前記シート状部材が張設され、
前記バリア部材および前記シート状部材が前記有効光路内から退避可能に設けられ、
前記バリア部材が前記有効光路内から退避した時に前記シート状部材が収納されるバリア部材室の内面を形成する部材に、前記シート状部材の前記端部とは異なる端部が結合されることにより、
バリア部材の枚数の増加による光軸方向寸法の増大および構成の複雑化を招くことなく、光学系および鏡胴を適切に且つ確実に保護し、構成も簡単で動作上の問題が生じ難く、鏡胴の小型化をも可能とするが、特に、バリア部材の枚数が少なくて済み、製造コストをも低減することができる。
【００２２】
また、本発明の請求項２の光学系バリア装置によれば、前記シート状部材が可撓性を有する材料からなるので、特に、構成を一層簡単化することができる。
本発明の請求項３の光学系バリア装置によれば、前記バリア部材および前記シート状部材が前記有効光路内から退避した時に、前記シート状部材が前記バリア部材室内に屈曲収納される構成とすることにより、特に、簡単な構成でしかも動作が確実な光学系バリア装置を提供することができる。
本発明の請求項４の光学系バリア装置によれば、前記バリア部材および前記シート状部材が前記有効光路内から退避した時に、前記バリア部材が前記バリア部材室内に収納されることにより、構成が一層簡単となる。
【００２３】
本発明の請求項５の光学系バリア装置によれば、前記シート状部材の弾性復元力により、前記シート状部材が前記バリア部材室内に屈曲収納されることにより、
特に、簡単な構成でしかも動作が一層確実となる。
本発明の請求項６の光学系バリア装置によれば、前記シート状部材は、弾性伸縮性を有し、
前記バリア部材および前記シート状部材が前記有効光路内から退避した時に、前記弾性伸縮性によって前記バリア部材室内に収縮収納される伸縮変形部材を含むことにより、特に、構成を一層簡単化することができる。
本発明の請求項７の光学機器によれば、請求項１〜６のいずれか１項に記載の光学系バリア装置を備えることにより、光学系バリア装置におけるバリア部材の枚数の増加による光軸方向寸法の増大および構成の複雑化を招くことなく、光学系および鏡胴を適切に且つ確実に保護し、構成も簡単で動作上の問題が生じ難く、鏡胴の小型化をも可能とするが、特に、バリア部材の枚数が少なくて済み、製造コストをも低減することができる光学機器を提供することができる。
本発明の請求項８の光学機器は、カメラであることにより、バリア部材の枚数の増加による光軸方向寸法の増大および構成の複雑化を招くことなく、光学系および鏡胴を適切に且つ確実に保護し、特に、カメラにおけるバリア部材の枚数が少なくて済み、構成が簡単で製造コストも低減化することができる。
【図面の簡単な説明】
【図１】本発明の一つの実施の形態に係る光学系バリア装置を物体側、すなわち被写体側から見たバリア閉状態における構成を模式的に示す正面図である。
【図２】図１の光学系バリア装置の正面斜め上方向から見た構成を模式的に示す分解斜視図である。
【図３】図１の光学系バリア装置の背面斜め上方向から見た構成を模式的に示す分解斜視図である。
【図４】図１の光学系バリア装置のバリア閉状態におけるＡ−Ａ線矢視方向を示す断面図である。
【図５】図１の光学系バリア装置のバリア閉状態におけるバリア羽根部分を背面側から見た様子を示す平面図である。
【図６】図１の光学系バリア装置のバリア開状態におけるＡ−Ａ線に沿う断面を示す断面図である。
【図７】図１の光学系バリア装置のリングレバー部分を示す正面図である。
【符号の説明】
１  光学系
２ａ，２ｂ  バリア羽根
３  リングレバー
４  小レバー
５  復帰スプリング
６ａ，６ｂ  第１、第２の移行スプリング
７ａ，７ｂ  シート状部材
８  バリアカバー
Ｙ  鏡胴
Ｚ  バリアベース
【図１】
0004001322.tif 000002
【図２】
0004001322.tif 000003
【図３】
0004001322.tif 000004
【図４】
0004001322.tif 000005
【図５】
0004001322.tif 000006
【図６】
0004001322.tif 000007
【図７】
0004001322.tif 000008